(57)【要約】      （修正有）【課題】匂い成分を選択することができ、また深い根掛かりに対しても解除することができ、なおかつ潮流によっても多方面に匂い成分を発散することが可能な疑似餌を提供する。【解決手段】開閉式の本体部と尾びれ部とからなる疑似餌において、開閉式の本体部が、進行方向前後に移動可能に設置された錘１０と、錘１０を所定位置に戻るように設けられた弾性部材１１と、錘１０の移動により排出が促されるように構成された匂い成分格納室１４と、匂い成分格納室１４から匂い成分を発散する匂い発散孔とを有する。【選択図】図２
0003207721.tif 000002
【実用新案登録請求の範囲】
【請求項１】
本体部と尾びれ部とからなる疑似餌において、
本体部が内部に収容できるように開閉式となっており、進行方向前後に移動可能に設置された錘と、前記錘を所定位置に戻るように設けられた弾性部材と、前記錘の移動により排出が促されるように構成された匂い成分格納室と、前記匂い成分格納室から匂い成分を発散する匂い発散孔とを有することを特徴とする疑似餌
【請求項２】
前記錘は、前記錘を含めた前記本体部の重さに対して、１／２〜１／５の重さの錘であることを特徴とする請求項１に記載の疑似餌
【請求項３】
前記弾性部材は、スプリングであることを特徴とする請求項１に記載の疑似餌
【請求項４】
前記弾性部材が１００〜５００Ｋｇｆの引張強さを有することを特徴とする請求項３に記載の疑似餌
【請求項５】
前記匂い発散孔の大きさが、１〜５ｍｍの直径を有することを特徴とする請求項１乃至３に記載の疑似餌
【考案の詳細な説明】
【技術分野】
【０００１】  本考案は、釣りに使用される疑似餌に関し、特にスポーツ釣り用のルアーに関する。
【背景技術】
【０００２】  スポーツ釣りに用いられている合成樹脂で作られたソフトベイトやワームなどのソフトルアーは、一般に、匂い成分をこのソフトルアーに塗布、含浸、又は練り込まれて作られている。狙う魚によって好みの匂いが異なることから、匂いの異なるソフトルアーを複数種類用意する必要がある。また匂い移りもするため、ソフトルアーを管理するのが面倒であった。【０００３】  そこで、匂いを拡散する疑似餌釣り用ルアー、カートリッジおよび匂い拡散組成物が提案されている（特許文献１）。
特許文献１では、匂いを発散する組成物を含む脱着式カートリッジからなり、狙う魚によって自由に匂いを選択することが可能であり、不必要にルアーを管理する必要がなくなった。【０００４】  しかしながら、特許文献１に記載の匂いを発生する組成物は、このハードルアー内を循環する循環水の流れによって、匂いを拡散する構成となっている。そのため、部分的にしか匂い成分が拡散しないおそれがあり、潮流によっては、匂いにより魚を誘引する効果が全く発揮できない恐れがあった。【０００５】  また、ソフトルアーやハードルアーなどの疑似餌は、湖や川などの水底及び海底にある岩場などの障害物に引っ掛かること（根掛かりとも言う）によって、ミチ糸が切れ、疑似餌を紛失することがあった。また、この紛失した疑似餌が水底及び海底に残ることにより、環境悪化の原因となっていた。【０００６】  そこで、根掛かりを解除しやすい疑似餌が提案されている（特許文献２）。
特許文献２では、金属や硬質プラスチックなどで形成されたハードルアーの内部に付勢手段を設け、ミチ糸を強く引っ張り、この引っ張りを解除させることにより、付勢手段の元に戻ろうとする力によって、根掛かりを解除するものである。【０００７】  しかしながら、特許文献２の構成では、根掛かりを解除する力が不十分な場合が多く、水底或いは海底の岩場などに深く根掛かった場合には解除することが困難な場合も生じていた。
【先行技術文献】
【特許文献】
【０００８】
【特許文献１】特表２００１−５２５６７９
【特許文献２】特開２００１−２９９１５３
【考案の概要】
【考案が解決しようとする課題】
【０００９】  本考案は、上記事情を鑑みて作成されたものであり、匂い成分を選択することができ、また深い根掛かりに対しても解除することができ、なおかつ潮流によっても多方面に匂い成分を発散することができる釣り用疑似餌を提供することである。
【課題を解決するための手段】
【００１０】  本考案の疑似餌は、開閉式の本体部と尾びれ部とからなる疑似餌において、
開閉式の本体部が、進行方向前後に移動可能に設置された錘と、前記錘を所定位置に戻るように設けられた弾性部材と、前記錘の移動により排出が促されるように構成された匂い成分格納室と、前記匂い成分格納室から匂い成分を発散する匂い発散孔とを有する。
【考案の効果】
【００１１】  本考案によれば、多方面に匂い成分を効率的に発散することができ、なおかつ、水底或いは海底の岩場などで根掛かりが発生しても、効率よく解除することが可能となる。
【図面の簡単な説明】
【００１２】
【図１】本考案の疑似餌を閉じている状態の概略平面図である。
【図２】本考案の疑似餌を開いている状態で、付勢されていない状態の概略平面図である。
【図３】本考案の疑似餌を開いている状態で、付勢されていない状態の概略平面図である。
【考案を実施するための形態】
【実施例】
【００１３】  以下、本考案を図面に基づいて説明する。なお、本考案は、以下の実施例そのままに限定されるものではなく、その要旨を逸脱しない範囲で構成要素を変形して具体化できる。また、実施例に開示されている複数の構成要素の適宜な組み合わせにより種々の考案を形成することができる。実施例に示される全構成要素から幾つかの構成要素を削除してもよい。更には、異なる実施の形態となるよう構成要素を適宜組み合わせてもよい。【００１４】  本考案の疑似餌１は、図１に示す通り、本体部２と尾びれ部３を有し、尾びれ部３は、疑似餌１の進行方向の左右自在にスイングするように尾びれジョイント４で接合されている。【００１５】  本体部２は、その表面に無数の匂い発散孔５を有する。所望の分散効率や形状等の理由により、匂い発散孔５は、異なる大きさや、異なる形状でも構成することでき、必要に応じて、匂い発散孔５にメッシュ等を設け、発散性を制御することも可能である。【００１６】  また、前記本体部と前記尾びれ部３は、一般的用いられる樹脂、金属、木材、竹材などで作製することができる。
特に、環境負担の少ない材料で作製するのが好ましく、生分解性樹脂で作製されるのがより好ましい。【００１７】  図２に示す通り、本体部２は、本体筐体部６と本体蓋部７からなり、開閉可能になるように本体ジョイント８で接合されている。
また、前記本体部２は、前記本体筐体部６と前記本体蓋部７とを閉じた状態で固定できるように留め具９を有する。
この留め具９としては、クリップ式、パチン錠式、マグネット式のいずれでも選択することができる。【００１８】  本体筐体部６は、進行方向前後自在動くように設置された錘１０と、前記錘１０を所定位置に戻るように設けられた弾性部材１１と、前記弾性部材１１をミチ糸１２の張力により付勢するための先頭フック１３を有する。【００１９】  また、本体筐体部６は、前記弾性部材１１の周りに、匂い成分格納室１４を有し、前記匂い発散孔５から疑似餌１の外部に匂い成分を発散する構成となっている。【００２０】  前記匂い成分格納室には、適宜、匂い成分の基となるものを格納することができる。
例えば、釣り用の練り餌、及び匂い成分が含まれている粒子、粉体、ゼリー状成分或いはペースト状成分などを用いることができる。【００２１】  図３に示す通り、前記ミチ糸の張力により、前記先頭フック１３は、進行方向前方に引っ張られ、前記錘１０は、疑似餌１の前記本体部２の中央位置１５或いは前方位置１６に移動する。前記錘１０の移動によって、前記匂い成分格納室１４に収納された匂い成分１７が押し出され、前記匂い発散孔５を通じて、疑似餌１の外部に発散される。これにより、ターゲットとする魚を誘引し、釣果を上げることが可能となる。【００２２】  匂い成分１７の発散性は、本体部２の表面にある前記匂い発散孔５の大きさ、本体筐体部６内の錘１０の大きさ、及び本体筐体部６内の弾性部材１１の弾性強度により、適宜調整することが可能である。【００２３】  一般的な匂い成分の粘度と発散効率の観点から、直径１〜５ｍｍの匂い発散孔５が好ましく、直径１〜４ｍｍの匂い発散孔５がさらに好ましく、直径１〜３ｍｍの匂い発散孔５が最も好ましい。【００２４】  また、前記匂い成分１７の投入量と発散効率、及び疑似餌１の強度の観点から、本体部２の本体筐体部６の最大直径に対して、１／５〜１／２の直径を有する錘１０が好ましく、１／４〜１／２の直径を有する錘１０がより好ましく、１／３〜１／２の直径を有する錘１０が最も好ましい。【００２５】  また、前記錘１０は、一般的に使用されている鉛、ステンレス、鉄などの金属で作製することができる。前記錘１０の重さとしては、前記錘１０を含めた前記本体部の重さに対して、１／５〜１／２の重さの錘１０とするのが好ましく、１／４〜１／２の重さの錘１０とするのがさらに好ましく、１／３〜１／２の重さの錘１０とするのが最も好ましい。【００２６】  また、前記弾性部材１１としては、ゴム、スプリング等のばね等を用いることができる。海水に対する劣化などを考慮すると弾性部材は、スプリングが好ましく、ステンレス製のスプリングが特に好ましい。【００２７】  弾性部材１１の引張強さとしては、１００〜５００Ｋｇｆが好ましく、１５０〜３００Ｋｇｆがより好ましく、２００〜２２５Ｋｇｆ（１９６１〜２２０６Ｎｍｍ２）が最も好ましい。【００２８】  また、弾性部材１１の横弾性係数としては、５０００Ｋｇ／ｍｍ２以上が好ましく、６０００Ｋｇ／ｍｍ２以上がより好ましく、
７０００Ｋｇ／ｍｍ２以上が最も好ましい。【００２９】  上述のような疑似餌を用いることにより、匂い成分を選択することができ、また深い根掛かりに対しても効率よく解除することができ、なおかつ潮流によっても多方面に匂い成分を発散することが可能となる。
【図１】
0003207721.tif 000003
【図２】
0003207721.tif 000004
【図３】
0003207721.tif 000005